(57)【特許請求の範囲】
【請求項１】
ダビング用のデジタルデータを記録媒体へ記録するデジタル記録再生装置において、
ダビング用のデジタルデータとして特殊再生データを含む第１のフォーマットまたは特殊再生データを含まない第２のフォーマットが選択される選択手段と、
前記選択手段で選択されたフォーマットに係る情報が外部へ出力されるフォーマット情報出力手段と、
前記出力されたフォーマット選択に係る情報に基づいたダビング用のデジタルデータを受信するデジタルデータインターフェース手段と、
前記受信されたダビング用のデジタルデータを記録媒体へ記録する記録手段とを備えることを特徴とするデジタル記録再生装置。
【請求項２】
要求に応じてダビング用のデジタルデータを出力するデジタル記録再生装置において、
特殊再生データを含むデジタルデータが記録された記録媒体と、
ダビング用のデジタルデータとして特殊再生データを含む第１のフォーマットまたは特殊再生データを含まない第２のフォーマットに係る要求を受信するフォーマット情報受信手段と、
前記フォーマット情報受信手段で受信されたフォーマットに係るダビング用のデジタルデータを前記記録媒体に記録されたデジタルデータから生成するデジタルデータ生成手段と、
前記生成されたダビング用のデジタルデータを外部へ出力するデジタルデータ出力手段とを備えることを特徴とするデジタル記録再生装置。
【請求項３】
第１のデジタル記録再生装置からダビング用のデジタルデータを出力し、第２のデジタル記録再生装置へ記録するデジタルデータ記録システムにおいて、
前記第１のデジタル記録再生装置に設けられ、ダビング用のデジタルデータとして特殊再生データを含む第１のフォーマットまたは特殊再生データを含まない第２のフォーマットが選択される選択手段と、
前記第１のデジタル記録再生装置に設けられ、前記選択手段で選択されたフォーマットに係る情報を外部へ出力するフォーマット情報出力手段と、
特殊再生データを含むデジタルデータが記録された記録媒体と、
前記第２のデジタル記録再生装置に設けられ、前記フォーマット情報出力手段から出力された情報を受信するフォーマット情報受信手段と、
前記第２のデジタル記録再生装置に設けられ、前記フォーマット情報受信手段で受信された情報に基づいて前記第１のフォーマットまたは前記第２のフォーマットのダビング用のデジタルデータを生成するデジタルデータ生成手段と、
前記第２のデジタル記録再生装置に設けられ、他の記録媒体に前記生成されたダビング用のデジタルデータを記録部に出力するとともに、前記第１の記録再生装置に出力可能とするデジタルデータ出力手段と、
を備えることを特徴とするデジタルデータ記録システム。
【請求項４】
第１のデジタル記録再生装置からダビング用のデジタルデータを出力し、第２のデジタル記録再生装置へ記録するデジタルデータ記録システムにおいて、
前記第１のデジタル記録再生装置に設けられ、ダビング用のデジタルデータとして特殊再生データを含む第１のフォーマットまたは特殊再生データを含まない第２のフォーマットとが選択される選択手段と、
前記第１のデジタル記録再生装置に設けられ、前記選択手段で選択されたフォーマットに係る情報を外部へ出力するフォーマット情報出力手段と、
特殊再生データを含むデジタルデータが記録された記録媒体と、
前記第１のデジタル記録再生装置に設けられ、ダビング用のデジタルデータとしての前記第１のフォーマットまたは前記第２のフォーマットを指定可能なフォーマット指定手段と、
前記第２のデジタル記録再生装置に設けられ、前記フォーマット情報出力手段から出力された情報を受信するフォーマット情報受信手段と、
前記第２のデジタル記録再生装置に設けられ、前記フォーマット情報受信手段で受信されたフォーマットまたは前記フォーマット指定手段により指定したフォーマットに係るダビング用のデジタルデータを前記記録媒体に記録されたデジタルデータから生成する第１のデジタルデータ生成手段と、
前記第２のデジタル記録再生装置に設けられ、他の記録媒体に前記生成されたダビング用のデジタルデータを記録部に出力するとともに、前記第１の記録再生装置に出力可能とするデジタルデータ出力手段と、
前記第１のデジタル記録再生装置に設けられ、前記フォーマット指定手段により指定したフォーマットまたは前記フォーマット指定手段により指定したフォーマットに係る前記ダビング用のデジタルデータを前記記録媒体に記録されたデジタルデータから生成し、この生成したデジタルデータを記録させるために前記第２のデジタル記録再生装置に出力可能とする第２のデジタルデータ生成手段と、
を備えることを特徴とするデジタルデータ記録システム。
【発明の詳細な説明】
【０００１】
【発明の属する分野】
本発明は、ディジタルインターフェイスを入出力手段とするデジタル記録再生装置及びデジタルデータ記録システムに関する。
【０００２】
【従来の技術】
近年、画像のディジタル処理が検討されている。特に、動画像信号を圧縮したディジタル画像データの磁気記録再生装置の記録についても各種方式が検討されている。一般的に、映像信号をディジタル化すると、その情報量は膨大となり、情報を圧縮することなく伝送又は記録等を行うことは、通信速度及び費用の点で困難である。このため、ディジタル映像信号の伝送又は記録においては、画像圧縮技術が必須であり、近年各種標準化案が検討されている。動画用としては、ＭＰＥＧ（Moving Picture Experts Group）方式が規格化されている。ＭＰＥＧにおいては、ＤＣＴ（Discrete Cosine Transform ）変換、フレーム間予測符号化、ランレングス符号化及びエントロピー符号化を複合的に用いて映像信号を符号化する。即ち、ＭＰＥＧ方式においては、１フレーム内でＤＣＴによる圧縮（フレーム内圧縮）を行うだけでなく、フレーム間の相関を利用して時間軸方向の冗長度を削減するフレーム間圧縮を採用する。フレーム間圧縮は、一般の動画像が前後のフレームでよく似ているという性質を利用して、前後のフレーム差分を求め差分値を符号化することによって、ビットレートを一層低減させるものである。特に、画像の動き補償を予測してフレーム間差を求めることにより、予測誤差を低減する動き補償フレーム間予測符号化が有効である。このように動画像信号に対して高能率圧縮符号化を行うことにより、より一層符号量を低減して伝送メディア、蓄積メディア等に幅広く活用することが可能となる。
【０００３】
ところで、一般に映像信号の記録・再生を行う磁気記録再生装置では、普及に伴い装置よる映像情報の多目的化が進んでいる。例えば、磁気記録再生装置としてビデオカセットテープレコーダ（以下、ＶＴＲと称す）を例に上げると、単に記録された映像情報をＶＴＲを用いて再生して視聴するだけでなく、ユーザが数多くの映像情報の中から所望の映像情報を確保するために映像情報の再記録を行うことが望まれている。つまり、既に磁気テープに記録された映像情報を一方のＶＴＲを用いて再生し、この再生情報を他のＶＴＲを用いて別の磁気テープに記録するといういわゆるダビング動作である。
【０００４】
例えば、従来のアナログ方式の磁気記録再生装置同士でダビングを行うものとすると、一方の再生する装置のビデオ出力端子と他方の装置のビデオ入力端子とを接続して、再生側からのコンポジット信号を記録側に入力する。音声については、同様に一方の装置の音声出力端子と他方の装置の音声入力端子とを接続して、再生側からの音声信号を記録側に入力する。このようにダビングを行う場合には、信号の形態の種類に応じた端子間を接続することにより、ダビングする信号を記録側に入力することができるようになっている。
【０００５】
磁気記録再生装置の一つの入力端子から入力される信号形態を考慮すると、例えばアンテナ入力端子にはＲＦ信号が入力され、上記の如くビデオ入力端子にはコンポジット信号が入力される。また、高画質な映像信号の伝送を行うめためのＳ映像入力端子には、輝度信号と色差信号とが分離された信号が夫々入力される。このように磁気記録再生装置における一つの入力端子から入力される信号形態は一意に決まったものとなる。つまり、アナログ方式の磁気記録再生装置では、装置同士の入力信号形態に応じた入出力端子間を接続する構成となっていることから、並列に信号形態に応じた夫々の信号を入力することも可能であり、また複数の磁気記録再生装置と接続されている場合には、ユーザがどの装置と接続されているか、あるいはどのような信号が入出力されているか等を一目で認識することができるようになっている。
【０００６】
一方、ディジタル化に伴いマルチメディアディジタルインターフェイスを介して信号を入出力する機器が期待されている。中でも、アナログ方式と比べて高画質な映像の記録・再生可能であることから、マルチメディア対応のディジタル方式の記録再生装置が注目されている。このようなディジタルインターフェイスを介して信号を入出力する装置では、共通のディジタルインターフェイス端子（以下、ディジタルＩ／Ｆ端子と記載）が設けられている。ディジタルＩ／Ｆ端子が共通であるため、複数の形態の信号が入出力される場合も考えられる。この場合、入力される信号は複数の信号形態の内いずれか一つの形態になる。
【０００７】
例えば、出力信号をモニタ表示する場合には、ＭＰＥＧ方式等の圧縮符号化データをディジタルＩ／Ｆ端子を介してモニタへと出力する。また、出力信号をダビング信号として出力する場合には、ディジタルＩ／Ｆ端子を介してダビング用機器等へと出力する。即ち、どちらのモードの場合でも、ディジタルＩ／Ｆ端子は共通の入出力端子となる。このため、複数のマルチメディア対応の機器がディジタルインターフェイスを介して接続されているものとすると、接続された状態だけでは、入出力される信号が認識することができない。即ち、入力される機器側では入力信号に対応するモードを設定することもできない。そこで、従来技術では、信号形態毎にケーブルを用意し且つ正しく接続することによって、入出力信号形態を認識するようにしている。このため、モードに応じた機器の操作等は特に問題はないが、信号形態毎にケーブルを用意することは利用者にとって煩わしく、コスト的にも大変である。
【０００８】
したがって、このようなディジタルＩ／Ｆ端子を有する機器同士でダビングを行う場合を考えると、ディジタルＩ／Ｆ端子が共通であることから、利用者は再生動作を行う一方の記録再生装置の出力信号形態を設定すると共に認識し、記録動作を行う他方の記録再生装置を再生側と同じ信号形態で入力するように設定しなければならない。即ち、入出力信号に合わせた操作が必須である。
【０００９】
また、ディジタル方式の記録再生装置では、特願平６−２７８９７号公報により記録再生のデータ速度を可変としたディジタル記録ＶＴＲも提案されている。この提案によるディジタルＶＴＲでは、通常再生は勿論、特殊再生する場合でも、通常再生領域の再生データから特殊再生データを作成して磁気テープの特殊再生領域に記録することにより、特殊再生を可能にする。
【００１０】
例えば、このようなディジタルＶＴＲ同士でダビングを行う場合には、記録済みの磁気テープを再生して再生データをディジタルＩ／Ｆ端子を介して出力する。このとき、記録済みの磁気テープは上述のように特殊再生領域を有するフォーマットで各データが記録されており、このフォーマットで記録されている全領域の再生データ（特殊再生データも含む）をダビング信号として記録側に出力する。また、通常の再生の場合には、通常再生領域の再生データのみを例えばＭＰＥＧ方式の符号化データとして記録側に出力する。つまり、記録側には、少なくとも２つのモードに応じたデータレートで再生データが入力される場合があるため、記録動作を行うディジタルＶＴＲでは、入力される再生データのデータレートが不明である。
【００１１】
したがって、正常なダビングを行うためには、記録動作を行うディジタルＶＴＲのデータ速度が再生側のデータ速度を下回らないように設定しなければなならず、このため、利用者は記録動作を行うディジタルＶＴＲのデータ速度を入力されるデータレートに応じて正しく設定する必要があった。
【００１２】
【発明が解決しようとする課題】
上記の如く、従来のディジタルインターフェイスを入出力とする記録再生装置では、この記録再生装置同士でダビングを行うものとすると、ディジタルＩ／Ｆ端子が共通であるため、入出力信号の信号形態又は記録再生データ速度に合わせた利用者による機器設定が必要であるという問題点があった。
【００１３】
そこで、本発明は上記問題点に鑑みてなされたもので、入出力される信号形態や記録再生データ速度の利用者による設定を不要にして記録再生を正常に行うことのできるデジタル記録再生装置及びデジタルデータ記録システムの提供を目的とする。
【００１４】
【課題を解決するための手段】
本発明によるデジタル記録再生装置は、ダビング用のデジタルデータを記録媒体へ記録するデジタル記録再生装置において、ダビング用のデジタルデータとして特殊再生データを含む第１のフォーマットまたは特殊再生データを含まない第２のフォーマットが選択される選択手段と、前記選択手段で選択されたフォーマットに係る情報が外部へ出力されるフォーマット情報出力手段と、前記出力されたフォーマット選択に係る情報に基づいたダビング用のデジタルデータを受信するデジタルデータインターフェース手段と、前記受信されたダビング用のデジタルデータを記録媒体へ記録する記録手段とを備えることを特徴とするものである。また、本発明によるデジタルデータ記録システムは、第１のデジタル記録再生装置からダビング用のデジタルデータを出力し、第２のデジタル記録再生装置へ記録するデジタルデータ記録システムにおいて、ダビング用のデジタルデータとして特殊再生データを含む第１のフォーマットまたは特殊再生データを含まない第２のフォーマットが選択される選択手段と、前記選択手段で選択されたフォーマットに係る情報が外部へ出力される第１のデジタル記録再生装置に設けられるフォーマット情報出力手段と、特殊再生データを含むデジタルデータが記録された記録媒体と、前記フォーマット情報出力手段から出力された情報を受信するフォーマット情報受信手段と、前記フォーマット情報受信手段で受信されたフォーマットに係るダビング用のデジタルデータを前記記録媒体に記録されたデジタルデータから生成する第２の記録再生装置に設けられるデジタルデータ生成手段と、前記生成されたダビング用のデジタルデータを第１の記録再生装置へ出力するデジタルデータ出力手段とを備えることを特徴とするものである。
【００１５】
【発明の実施の形態】
発明の実施の形態について図面を参照して説明する。
【００１６】
図１は本発明に係るデジタル記録再生装置及びデジタルデータ記録システムの一実施形態例を示す回路構成図であり、２つの同じ構成要素を有する記録再生装置１ａ、１ｂをディジタルインターフェイス２を介して接続した状態を示している。
【００１７】
本実施形態例においては、例えば２つの記録再生装置１ａ、１ｂの内、第１の記録再生装置１ａが再生動作を行い、第２の記録再生装置１ｂが記録動作を行うことによりダビングする場合について説明する。
【００１８】
図１に示すように、第１の記録再生装置１ａと第２の記録再生装置１ｂとは、ディジタルインターフェイス２を介して接続されている。
【００１９】
いま、利用者が第２の記録再生装置を操作してダビング動作を行うものとすると、利用者は第２の記録再生装置１ｂのユーザ入力端３ｂから入力として希望する信号形態を指示する。即ち、ユーザ入力端３ｂから入力される指示信号はユーザ選択回路４ｂに与える。
【００２０】
ユーザ選択入力回路４ｂは、ユーザ入力端３ｂからの指示信号に基づく信号を記録時の入力信号フォーマット指示回路５ｂに与えることにより、記録時の入力信号のフォーマットをユーザが指定したフォーマットに設定する。
【００２１】
記録時のフォーマット指示回路５ｂの出力は、フォーマット選択回路６ｂに与える。フォーマット選択回路６ｂは与えられたフォーマット指示回路６ｂから指定されたフォーマットを選択し、選択したフォーマットに基づく処理を行うための処理回路（第一フォーマット信号処理回路１３ｂ又は第二フォーマット信号処理回路１４ｂ）へと入力データを出力する。
【００２２】
同時に、記録時のフォーマット指示回路６ｂの出力は、ディジタルインターフェイス７ｂ、ディジタルＩ／Ｆ端８ｂ、ディジタルＩ／Ｆ端８ａ及びディジタルインターフェイス７ａを介して再生側の第１の記録再生装置１ａのフォーマット選択回路６ａ及び再生時の出力信号フォーマット指示回路９ａにも与える。これにより、フォーマット選択回路６ａは第２の記録再生装置側から指定されたフォーマットを選択し、再生時の出力信号フォーマット指示回路９ａによって、第１の記録再生装置１ａにおける再生時の出力信号のフォーマットが利用者が指定したフォーマットに設定される。
【００２３】
その後、第１の記録再生装置は再生動作を、第２の記録再生装置は記録動作を利用者によって指示される。第１の記録再生装置１ａは、再生動作を開始する際に再生データ速度指示回路１０ａにより再生速度を決定し、該データ速度を指示する信号をディジタルインターフェイス７ａ、ディジタルＩ／Ｆ端８ａ、ディジタルＩ／Ｆ端８ｂ及びディジタルインターフェイス７ｂを介して第２の記録再生装置１ｂの記録データ速度指示回路１１ｂに出力する。
【００２４】
記録データ速度指示回路１１ｂは、再生データ速度を指示する信号を入力して第２の記録再生装置１ｂによる記録時の記録データ速度を、再生側の第１の記録再生装置１ａの再生データ速度と同じか、あるいはそれ以上のデータレートに設定する。このようにして、第１及び第２の記録再生装置１ａ、１ｂにおける入出力信号フォーマット及びデータ速度が決定されるようになっている。
【００２５】
第１及び第２の記録再生装置１ａ、１ｂの入出力信号フォーマット及びデータレートが決定した後に、第１の記録再生装置１ａのＶＴＲ部１２ａは再生動作を、第２の記録再生装置１ｂのＶＴＲ部１２ｂは記録動作を開始する。
【００２６】
再生側において、ＶＴＲ１２ａは記録済みの例えば磁気テープから再生を行い再生データを出力する。ＶＴＲ部１２ａにより再生された再生データは、第一フォーマット信号処理回路１３ａ及び第二フォーマット信号処理回路１４ａに与える。第一フォーマット信号処理回路１３ａ及び第二フォーマット信号処理回路１４ａは、夫々入力信号の信号形態に応じた所定の処理を施してフォーマット選択回路６ａに与える。フォーマット選択回路６ａは、予め決定されたフォーマットに一致するいずれかの入力信号を選択して出力する。
【００２７】
フォーマット選択回路６ａからの出力、即ち再生データは、ディジタルインターフェイス７ａ、ディジタルＩ／Ｆ端８ａ、ディジタルＩ／Ｆ端８ｂ及びディジタルインターフェイス７ｂを介して第２の記録再生装置１ｂのフォーマット選択回路６ｂに入力される。
【００２８】
記録側において、フォーマット選択回路６ｂは、予め決定された記録時のフォーマットに基づく処理を行わせるように後段の第一フォーマット信号処理回路１３ｂと第二フォーマット信号処理回路１４ｂとのどちらか一方を選択し、選択した処理回路に入力信号を出力する。第一フォーマット信号処理回路１３ｂ及び第二フォーマット信号処理回路１４ｂは、夫々入力信号の信号形態に応じた所定の処理を施してＶＴＲ部１２ｂに与える。
【００２９】
ＶＴＲ部１２ｂは、第一フォーマット信号処理回路１３ｂ及び第二フォーマット信号処理回路１４ｂの出力信号のうち、出力が有効な一方の出力信号を磁気テープ等に記録する。このようにしてダビング動作が行われるようになっている。
【００３０】
次に、図１に示す動作を詳細に説明する。尚、利用者の指定するモードに応じた入力信号信号形態（フォーマット）については、例えば第１の信号がＭＰＥＧ信号であり、第２の信号がディジタルＶＴＲのダビング信号である場合について説明する。
【００３１】
いま、利用者がユーザ入力端３ｂからＭＰＥＧ信号を選択すると、上述で説明した手順で記録再生装置１ａ、１ｂの設定が行われる。即ち、ユーザ選択入力回路４ｂ、記録時の入力信号フォーマット指示回路５ｂ及びフォーマット選択回路６ｂによって、記録時の入力信号のフォーマットが利用者の指定したフォーマットに設定される。同時に、再生側の第１の記録再生装置１ａにおける再生時の出力信号フォーマット指示回路９ａにも、決定されたフォーマット指示を与えることにより、再生時の出力信号も同様のフォーマットで出力させるように動作する。
【００３２】
その後、ＶＴＲ部１２ａから再生された再生信号は、ＭＰＥＧ信号処理を行う第一フォーマット信号処理回路１３ａ及びダビング信号を処理を行う第二フォーマット信号処理回路に同時に入力される。
【００３３】
第一フォーマット信号処理回路１３ａでは、特願平６−６５２９８号公報に示されているように、混合して記録された通常再生データと特殊再生データとの内、利用者に指示されたモードに対応したデータを抽出した後、特願平６−２７２６２１号公報に示されているようにＶＴＲの記録パケットに再パケットされているＭＰＥＧ信号を本来のＭＰＥＧパケット単位の信号に戻し、さらに削除したパケット部分にはダミーパケットを挿入するなどの処理を行う。これにより、利用者が指定したＭＰＥＧ信号に基づくフォーマット及びデータレートで再生データを記録側の記録再生装置１ｂへと伝送することができる。
【００３４】
一方、第二フォーマット信号処理回路１４ａでは、再生されたテープ上の信号を記録パケット単位で伝送のための並び替えを行い出力する。第一フォーマット信号処理回路１３ａ及び第二フォーマット信号処理回路１４ａの夫々の出力は、フォーマット選択回路６ａに与えられ、フォーマット選択回路６ａによって、利用者により指定されたフォーマットに基づく再生データをディジタルインターフェイス７ａ、ディジタルＩ／Ｆ端子８ａ、ディジタルＩ／Ｆ端子８ｂ及びディジタルインターフェイス７ｂを介して記録側の記第２の録再生装置のフォーマット選択回路６ｂへと伝送され且つ入力される。尚、再生データの信号処理時において、選択されないフォーマット信号処理回路における内部の処理動作を中止させることにより、出力が有効な信号とならない状態にするようにしてもかまわない。
【００３５】
その後、第２の記録再生装置１ｂでは、フォーマット選択回路６ｂによって予め利用者により指定されたフォーマットに基づく処理を行わせるように入力された再生データを第一及び第２のフォーマット信号処理回路１３ｂ、１４ｂの一方の信号処理回路へと出力する。この場合、入力信号はＭＰＥＧ信号に基づくフォーマットであることから、入力信号を第一フォーマット信号処理回路１３ｂへと出力する。
【００３６】
第一フォーマット信号処理回路１３ｂでは、再生側の信号処理回路１３ａとは逆の処理を行う、即ち、特願平６−２７２６２１号公報に示されているように入力信号の内、記録しないパケットを削除し、記録パケット単位に再パケットを行う。更に、特願平６−６５２９８号公報に示されているように、フレーム内圧縮データの低域成分などを抽出する等して特殊再生データを生成した後、該特殊再生データも記録パケット単位でパケット化して、上記再パケットされたデータと混合してＶＴＲ部１２ｂへと出力する。
【００３７】
また、入力される信号がダビング信号であるものとすると、ダビング信号内に特殊再生データも混合された状態で入力される場合がある。このような場合には、第二フォーマット信号処理回１４ｂは、入力されたダビング信号に対して記録パケット単位でデータと並び替えを行う程度の簡単な処理を施してＶＴＲ部１２ｂへと出力する。
【００３８】
その後、ＶＴＲ１２ｂによって、再生時のフォーマットと一致した状態で前記第一フォーマット信号処理回路１３ｂ又は第二フォーマット信号処理回路１４ｂの出力データが記録され、ダビング動作を完了する。
【００３９】
このように、本実施形態例では、再生データの信号形態（フォーマット）に応じた信号処理を再生側及び記録側で行うことより、記録されるデータのフォーマットを一致させることができる。即ち、再生時フォーマットは利用者の指定するフォーマットに予め設定されることから、結果として利用者の指定するフォーマットで再生データを記録することができる。
【００４０】
また、上述したように、第１の信号としてＭＰＥＧ信号を指定して該信号のダビングを行う場合には、記録側で再生速度を可変可能にするための特殊再生データを記録する特殊再生データ領域を確保する、あるいは同領域に特殊再生データを記録せずに通常再生データを記録するなどの利用者の機器設定により記録時の所要データ速度が異なる場合も考えられる。しかし、第２の信号としてダビング信号を指定してダビングを行う場合には、テープ上に記録された全領域の再生データをダビング信号として出力しているので、正常な記録を行うためには記録側のデータ速度を再生側のデータ速度と同じ速度、即ちデータレートを一致させなければならない。このため、このようなダビング信号を指定した場合、記録時にユーザ入力端３ｂから記録データ速度を変えるような利用者による指示があったとしても、ユーザ選択入力回路４ｂはこの指示より再生側の再生データ速度指示回路１０ａからの再生データ速度を指示する信号を優先させて、記録データ速度指示回路１１ｂによる記録データ速度を設定する。これにより、ダビング信号を指定した場合には、再生側と入力側の全体のデータレートとが一致することになることから、正常なダビングを行うことを可能にする。
【００４１】
したがって、本実施形態例においては、複数の形態の信号が入力されるディジタルＩ／Ｆ端子を有する機器同士でダビングを行う場合、従来、入出力される信号形態や記録再生速度を利用者が正しく設定する必要であったが、本発明によれば利用者が入力信号を指定し且つこの指定した信号形態に基づいて自動的に記録側と再生側との信号形態、記録再生データ速度を一致させることができるため、利用者による信号形態や記録再生速度の機器設定を不要にすることができ、正しく記録再生を行うことができる。
【００４２】
【発明の効果】
以上、述べたように本発明によれば、利用者が簡単な機器操作を行い、主信号の入出力を行うディジタルインターフェイスを介して自動的に機器設定が行われることにより、記録再生入出力される信号形態や記録再生データ速度を利用者が設定せずとも、正常に記録再生を行うことが可能となる効果を有する。
【図面の簡単な説明】
【図１】  本発明に係るデジタル記録再生装置及びデジタルデータ記録システムの一実施形態例を示す回路構成図。
【図１】
0003654978.tif 000002